(57)【要約】  ３Ｄ画像表示装置として使用可能なプラズマディスプレイ装置において、プラズマディスプレイパネルに表示される３Ｄ画像をシャッタ眼鏡を通して観賞する使用者に対してクロストークを低減する。そのために、プラズマディスプレイ装置とシャッタ眼鏡とを備えたプラズマディスプレイシステムにおいて、右目用フィールドおよび左目用フィールドのそれぞれを、１フィールドの最初のサブフィールドの輝度重みを最も大きくし、それ以降は輝度重みが順次小さくなるように輝度重みを設定し、右目用フィールドの最初に書込み動作を行うサブフィールドの維持期間の前に右目用シャッタを開き、右目用フィールドの次の左目用フィールドの前に右目用シャッタを閉じ、左目用フィールドの最初に書込み動作を行うサブフィールドの維持期間の前に左目用シャッタを開き、左目用フィールドの次の右目用フィールドの前に左目用シャッタを閉じるようにシャッタ眼鏡を制御する。
2011111337.tif 000002
【特許請求の範囲】
【請求項１】
放電セルを複数配列したプラズマディスプレイパネルおよび前記プラズマディスプレイパネルを駆動する駆動回路を有し、右目用画像信号を表示する右目用フィールドと左目用画像信号を表示する左目用フィールドとを交互に繰り返して前記プラズマディスプレイパネルに画像を表示するプラズマディスプレイ装置と、
前記右目用フィールドにもとづき開閉する右目用シャッタおよび前記左目用フィールドにもとづき開閉する左目用シャッタを有するシャッタ眼鏡とを備えたプラズマディスプレイシステムであって、
前記プラズマディスプレイ装置は、
前記右目用フィールドおよび前記左目用フィールドのそれぞれを、輝度重みが設定された複数のサブフィールドで構成するとともに、１フィールドの最初のサブフィールドの輝度重みを最も大きくし、それ以降は輝度重みが順次小さくなるように各サブフィールドに輝度重みを設定し、
前記右目用フィールドの最初に書込み動作を行うサブフィールドの維持期間の前に前記右目用シャッタを開き、前記右目用フィールドの次の左目用フィールドの前に前記右目用シャッタを閉じ、前記左目用フィールドの最初に書込み動作を行うサブフィールドの維持期間の前に前記左目用シャッタを開き、前記左目用フィールドの次の右目用フィールドの前に前記左目用シャッタを閉じるように前記シャッタ眼鏡を制御する
ことを特徴とするプラズマディスプレイシステム。
【請求項２】
放電セルを複数配列したプラズマディスプレイパネルおよび前記プラズマディスプレイパネルを駆動する駆動回路を有し、右目用画像信号を表示する右目用フィールドと左目用画像信号を表示する左目用フィールドとを交互に繰り返して前記プラズマディスプレイパネルに画像を表示するプラズマディスプレイ装置と、
前記右目用フィールドにもとづき開閉する右目用シャッタおよび前記左目用フィールドにもとづき開閉する左目用シャッタを有するシャッタ眼鏡とを備えたプラズマディスプレイシステムであって、
前記プラズマディスプレイ装置は、
前記右目用フィールドおよび前記左目用フィールドのそれぞれを、輝度重みが設定された複数のサブフィールドで構成するとともに、１フィールドの最初のサブフィールドの輝度重みを最も大きくし、それ以降は輝度重みが順次小さくなるように各サブフィールドに輝度重みを設定し、
前記右目用フィールドにおいて、前記右目用シャッタを開く際には、１フィールドの最初のサブフィールドで書込み動作を行うときには前記最初のサブフィールドの維持期間の前に前記右目用シャッタを開き、前記最初のサブフィールドで書込み動作を行わないときには前記最初のサブフィールドの次のサブフィールドの維持期間の前に前記右目用シャッタを開き、前記右目用シャッタを閉じる際には、前記右目用フィールドの次の左目用フィールドの前に前記右目用シャッタを閉じ、
前記左目用フィールドにおいて、前記左目用シャッタを開く際には、１フィールドの最初のサブフィールドで書込み動作を行うときには前記最初のサブフィールドの維持期間の前に前記左目用シャッタを開き、前記最初のサブフィールドで書込み動作を行わないときには前記最初のサブフィールドの次のサブフィールドの維持期間の前に前記左目用シャッタを開き、前記左目用シャッタを閉じる際には、前記左目用フィールドの次の右目用フィールドの前に前記左目用シャッタを閉じるように前記シャッタ眼鏡を制御する
ことを特徴とするプラズマディスプレイシステム。
【請求項３】
放電セルを複数配列したプラズマディスプレイパネルおよび前記プラズマディスプレイパネルを駆動する駆動回路を有し、右目用画像信号を表示する右目用フィールドと左目用画像信号を表示する左目用フィールドとを交互に繰り返して前記プラズマディスプレイパネルに画像を表示するプラズマディスプレイ装置であって、
前記駆動回路は、
前記右目用フィールドおよび前記左目用フィールドのそれぞれを、輝度重みが設定された複数のサブフィールドで構成するとともに、１フィールドの最初のサブフィールドの輝度重みを最も大きくし、それ以降は輝度重みが順次小さくなるように各サブフィールドに輝度重みを設定し、
右目用シャッタおよび左目用シャッタを有するシャッタ眼鏡に対し、
前記右目用フィールドの最初に書込み動作を行うサブフィールドの維持期間の前に前記右目用シャッタを開き、前記右目用フィールドの次の左目用フィールドの前に前記右目用シャッタを閉じ、前記左目用フィールドの最初に書込み動作を行うサブフィールドの維持期間の前に前記左目用シャッタを開き、前記左目用フィールドの次の右目用フィールドの前に前記左目用シャッタを閉じるように制御信号を発生する
ことを特徴とするプラズマディスプレイ装置。
【請求項４】
放電セルを複数配列したプラズマディスプレイパネルおよび前記プラズマディスプレイパネルを駆動する駆動回路を有し、右目用画像信号を表示する右目用フィールドと左目用画像信号を表示する左目用フィールドとを交互に繰り返して前記プラズマディスプレイパネルに画像を表示するプラズマディスプレイ装置であって、
前記駆動回路は、
前記右目用フィールドおよび前記左目用フィールドのそれぞれを、輝度重みが設定された複数のサブフィールドで構成するとともに、１フィールドの最初のサブフィールドの輝度重みを最も大きくし、それ以降は輝度重みが順次小さくなるように各サブフィールドに輝度重みを設定し、
右目用シャッタおよび左目用シャッタを有するシャッタ眼鏡に対し、
前記右目用フィールドにおいて、前記右目用シャッタを開く際には、１フィールドの最初のサブフィールドで書込み動作を行うときには前記最初のサブフィールドの維持期間の前に前記右目用シャッタを開き、前記最初のサブフィールドで書込み動作を行わないときには前記最初のサブフィールドの次のサブフィールドの維持期間の前に前記右目用シャッタを開き、前記右目用シャッタを閉じる際には、前記右目用フィールドの次の左目用フィールドの前に前記右目用シャッタを閉じ、
前記左目用フィールドにおいて、前記左目用シャッタを開く際には、１フィールドの最初のサブフィールドで書込み動作を行うときには前記最初のサブフィールドの維持期間の前に前記左目用シャッタを開き、前記最初のサブフィールドで書込み動作を行わないときには前記最初のサブフィールドの次のサブフィールドの維持期間の前に前記左目用シャッタを開き、前記左目用シャッタを閉じる際には、前記左目用フィールドの次の右目用フィールドの前に前記左目用シャッタを閉じるように制御信号を発生する
ことを特徴とするプラズマディスプレイ装置。
【発明の詳細な説明】
【技術分野】
【０００１】
本発明は、プラズマディスプレイパネルに交互に表示する右目用画像と左目用画像とを、シャッタ眼鏡を用いて立体視するプラズマディスプレイ装置およびプラズマディスプレイシステムに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【０００９】
近年は、このようなパネルに、立体視が可能な３次元（３  Ｄｉｍｅｎｓｉｏｎ：以下「３Ｄ」と記す）画像（以下、「３Ｄ画像」と記す）を表示し、３Ｄ画像表示装置としてプラズマディスプレイ装置を用いる方法についても検討されている。【００１０】
１枚の３Ｄ画像は、１枚の右目用画像と１枚の左目用画像とで構成されている。そして、このプラズマディスプレイ装置では、３Ｄ画像をパネルに表示する際には、右目用画像と左目用画像とをパネルに交互に表示する。そして、使用者は、右目用画像を表示するフィールドと左目用画像を表示するフィールドとのそれぞれに同期して左右のシャッタが交互に開閉するシャッタ眼鏡と呼ばれる特殊な眼鏡を用いて、パネルに表示されている３Ｄ画像を観賞する（例えば、特許文献１参照）。【００１１】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、パネルに表示される３Ｄ画像を立体視することができる。【００１２】
しかしながら、パネルで用いられている蛍光体は残光時間が長く、維持放電を終了した後も数ｍｓｅｃの間は残光が持続するという特性をもつ蛍光体材料も存在する。なお、残光とは、放電セルにおいて放電が終了した後も発光が継続する現象のことであり、残光時間とは、残光が十分に低下するまでの時間のことである。【００１３】
そのため、例えば、右目用画像を表示する期間が終了した後も、しばらくの期間、右目用画像が残像としてパネルに表示されることがある。なお、残像とは、１枚の画像を表示する期間が終了した後も、残光により、その画像がパネルに表示される現象のことである。【００１４】
そして、右目用画像の残像が消える前に左目用画像をパネルに表示すると、左目用画像に右目用画像が混じる現象が生じる。同様に、左目用画像の残像が消える前に右目用画像をパネルに表示すると、右目用画像に左目用画像が混じる現象が生じる。以下、このような現象を「クロストーク」と記す。そして、クロストークが発生すると立体視が困難になるといった課題があった。
【先行技術文献】
【特許文献】
【００１５】
【特許文献１】特開２０００−１１２４２８号公報
【発明の概要】
【００１６】
本発明は、放電セルを複数配列したパネルおよびパネルを駆動する駆動回路を有し、右目用画像信号を表示する右目用フィールドと左目用画像信号を表示する左目用フィールドとを交互に繰り返してパネルに画像を表示するプラズマディスプレイ装置と、右目用フィールドにもとづき開閉する右目用シャッタおよび左目用フィールドにもとづき開閉する左目用シャッタを有するシャッタ眼鏡とを備えたプラズマディスプレイシステムであって、プラズマディスプレイ装置は、右目用フィールドおよび左目用フィールドのそれぞれを、輝度重みが設定された複数のサブフィールドで構成するとともに、１フィールドの最初のサブフィールドの輝度重みを最も大きくし、それ以降は輝度重みが順次小さくなるように各サブフィールドに輝度重みを設定し、右目用フィールドの最初に書込み動作を行うサブフィールドの維持期間の前に右目用シャッタを開き、右目用フィールドの次の左目用フィールドの前に右目用シャッタを閉じ、左目用フィールドの最初に書込み動作を行うサブフィールドの維持期間の前に左目用シャッタを開き、左目用フィールドの次の右目用フィールドの前に左目用シャッタを閉じるようにシャッタ眼鏡を制御することを特徴とする。
【００１７】
これにより、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【００１８】
また、本発明は、放電セルを複数配列したパネルおよびパネルを駆動する駆動回路を有し、右目用画像信号を表示する右目用フィールドと左目用画像信号を表示する左目用フィールドとを交互に繰り返してパネルに画像を表示するプラズマディスプレイ装置と、右目用フィールドにもとづき開閉する右目用シャッタおよび左目用フィールドにもとづき開閉する左目用シャッタを有するシャッタ眼鏡とを備えたプラズマディスプレイシステムであって、プラズマディスプレイ装置は、右目用フィールドおよび左目用フィールドのそれぞれを、輝度重みが設定された複数のサブフィールドで構成するとともに、１フィールドの最初のサブフィールドの輝度重みを最も大きくし、それ以降は輝度重みが順次小さくなるように各サブフィールドに輝度重みを設定し、右目用フィールドにおいて、右目用シャッタを開く際には、１フィールドの最初のサブフィールドで書込み動作を行うときには最初のサブフィールドの維持期間の前に右目用シャッタを開き、最初のサブフィールドで書込み動作を行わないときには最初のサブフィールドの次のサブフィールドの維持期間の前に右目用シャッタを開き、右目用シャッタを閉じる際には、右目用フィールドの次の左目用フィールドの前に右目用シャッタを閉じ、左目用フィールドにおいて、左目用シャッタを開く際には、１フィールドの最初のサブフィールドで書込み動作を行うときには最初のサブフィールドの維持期間の前に左目用シャッタを開き、最初のサブフィールドで書込み動作を行わないときには最初のサブフィールドの次のサブフィールドの維持期間の前に左目用シャッタを開き、左目用シャッタを閉じる際には、左目用フィールドの次の右目用フィールドの前に左目用シャッタを閉じるようにシャッタ眼鏡を制御することを特徴とする。
【００１９】
これにより、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【００２０】
また、本発明は、放電セルを複数配列したパネルおよびパネルを駆動する駆動回路を有し、右目用画像信号を表示する右目用フィールドと左目用画像信号を表示する左目用フィールドとを交互に繰り返してパネルに画像を表示するプラズマディスプレイ装置であって、駆動回路は、右目用フィールドおよび左目用フィールドのそれぞれを、輝度重みが設定された複数のサブフィールドで構成するとともに、１フィールドの最初のサブフィールドの輝度重みを最も大きくし、それ以降は輝度重みが順次小さくなるように各サブフィールドに輝度重みを設定し、右目用シャッタおよび左目用シャッタを有するシャッタ眼鏡に対し、右目用フィールドの最初に書込み動作を行うサブフィールドの維持期間の前に右目用シャッタを開き、右目用フィールドの次の左目用フィールドの前に右目用シャッタを閉じ、左目用フィールドの最初に書込み動作を行うサブフィールドの維持期間の前に左目用シャッタを開き、左目用フィールドの次の右目用フィールドの前に左目用シャッタを閉じるように制御信号を発生することを特徴とする。
【００２１】
これにより、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【００２２】
また、本発明は、放電セルを複数配列したパネルおよびパネルを駆動する駆動回路を有し、右目用画像信号を表示する右目用フィールドと左目用画像信号を表示する左目用フィールドとを交互に繰り返してパネルに画像を表示するプラズマディスプレイ装置であって、駆動回路は、右目用フィールドおよび左目用フィールドのそれぞれを、輝度重みが設定された複数のサブフィールドで構成するとともに、１フィールドの最初のサブフィールドの輝度重みを最も大きくし、それ以降は輝度重みが順次小さくなるように各サブフィールドに輝度重みを設定し、右目用シャッタおよび左目用シャッタを有するシャッタ眼鏡に対し、右目用フィールドにおいて、右目用シャッタを開く際には、１フィールドの最初のサブフィールドで書込み動作を行うときには最初のサブフィールドの維持期間の前に右目用シャッタを開き、最初のサブフィールドで書込み動作を行わないときには最初のサブフィールドの次のサブフィールドの維持期間の前に右目用シャッタを開き、右目用シャッタを閉じる際には、右目用フィールドの次の左目用フィールドの前に右目用シャッタを閉じ、左目用フィールドにおいて、左目用シャッタを開く際には、１フィールドの最初のサブフィールドで書込み動作を行うときには最初のサブフィールドの維持期間の前に左目用シャッタを開き、最初のサブフィールドで書込み動作を行わないときには最初のサブフィールドの次のサブフィールドの維持期間の前に左目用シャッタを開き、左目用シャッタを閉じる際には、左目用フィールドの次の右目用フィールドの前に左目用シャッタを閉じるように制御信号を発生することを特徴とする。
【００２３】
これにより、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【図面の簡単な説明】
【００２４】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置の回路ブロックおよびプラズマディスプレイシステムを概略的に示す図である。
【図４】図４は、本発明の実施の形態１におけるプラズマディスプレイ装置に用いるパネルの各電極に印加する駆動電圧波形を概略的に示す図である。
【図５】図５は、本発明の実施の形態１におけるプラズマディスプレイ装置のサブフィールド構成およびシャッタ眼鏡の開閉制御の一例を概略的に示す図である。
【図６】図６は、当該フィールドの直前のフィールドで維持放電を発生したときの当該フィールドにおける残光の強さを概略的に示す図である。
【図７】図７は、本発明の実施の形態２におけるプラズマディスプレイ装置のサブフィールド構成およびシャッタ眼鏡の開閉制御の一例を概略的に示す図である。
【発明を実施するための形態】
【００２５】
以下、本発明の実施の形態におけるプラズマディスプレイ装置およびプラズマディスプレイシステムについて、図面を用いて説明する。
【００２６】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００２７】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００２８】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２９】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００３０】
放電空間は隔壁３４によって複数の区画に仕切られており、表示電極対２４とデータ電極３２とが交差する部分に放電セルが形成されている。
【００３１】
そして、これらの放電セルで放電を発生し、放電セルの蛍光体層３５を発光（放電セルを点灯）することにより、パネル１０にカラーの画像を表示する。
【００３２】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００３３】
なお、パネル１０の構造は上述したものに限られるわけではなく、例えばストライプ状の隔壁を備えたものであってもよい。
【００３４】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００３５】
図３は、本発明の実施の形態１におけるプラズマディスプレイ装置４０の回路ブロックおよびプラズマディスプレイシステムを概略的に示す図である。本実施の形態に示すプラズマディスプレイシステムは、プラズマディスプレイ装置４０とシャッタ眼鏡５０とを構成要素に含む。
【００３６】
プラズマディスプレイ装置４０は、パネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５、制御信号出力部４６、および各回路ブロックに必要な電源を供給する電源回路（図示せず）を備えている。
【００３７】
画像信号処理回路４１は、入力された画像信号にもとづき、各放電セルに階調値を割り当てる。そして、その階調値を、サブフィールド毎の発光・非発光を示す画像データ（発光・非発光をデジタル信号の「１」、「０」に対応させたデータのこと）に変換する。すなわち、画像信号処理回路４１は、１フィールド毎の画像信号をサブフィールド毎の発光・非発光を示す画像データに変換する。
【００３８】
例えば、入力された画像信号がＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【００３９】
また、入力される画像信号が、右目用画像信号と左目用画像信号とを有する立体視用の３Ｄ画像信号であり、その画像信号をパネル１０に表示する際には、右目用画像信号と左目用画像信号とがフィールド毎に交互に画像信号処理回路４１に入力される。したがって、画像データ変換回路４９は、右目用画像信号を右目用画像データに変換し、左目用画像信号を左目用画像データに変換する。
【００４０】
タイミング発生回路４５は、水平同期信号および垂直同期信号にもとづき、各回路ブロックの動作を制御する各種のタイミング信号を発生する。そして、発生したタイミング信号をそれぞれの回路ブロック（データ電極駆動回路４２、走査電極駆動回路４３、維持電極駆動回路４４、および画像信号処理回路４１等）へ供給する。
【００４１】
また、タイミング発生回路４５は、シャッタ眼鏡５０のシャッタの開閉を制御するシャッタ制御信号を制御信号出力部４６に出力する。なお、タイミング発生回路４５は、シャッタ眼鏡５０のシャッタを開く（可視光を透過する状態になる）ときにはシャッタ制御信号をオン（「１」）にし、シャッタ眼鏡５０のシャッタを閉じる（可視光を遮断する状態になる）ときにはシャッタ制御信号をオフ（「０」）にする。また、シャッタ制御信号は、右目用画像信号を表示する右目用フィールドがパネル１０に表示されるときにオンとなり、左目用画像信号を表示する左目用フィールドがパネル１０に表示されるときにオフとなる制御信号（右目シャッタ制御信号）と、左目用画像信号を表示する左目用フィールドがパネル１０に表示されるときにオンとなり、右目用画像信号を表示する右目用フィールドがパネル１０に表示されるときにオフとなる制御信号（左目シャッタ制御信号）とからなる。
【００４２】
走査電極駆動回路４３は、初期化波形発生回路、維持パルス発生回路、走査パルス発生回路（図３には示さず）を備え、タイミング発生回路４５から供給されるタイミング信号にもとづいて駆動電圧波形を作成し、走査電極ＳＣ１〜走査電極ＳＣｎのそれぞれに印加する。初期化波形発生回路は、初期化期間に、タイミング信号にもとづいて走査電極ＳＣ１〜走査電極ＳＣｎに印加する初期化波形を発生する。維持パルス発生回路は、維持期間に、タイミング信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、タイミング信号にもとづいて走査電極ＳＣ１〜走査電極ＳＣｎに印加する走査パルスを発生する。
【００４３】
維持電極駆動回路４４は、維持パルス発生回路、および電圧Ｖｅ１、電圧Ｖｅ２を発生する回路を備え（図３には示さず）、タイミング発生回路４５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。
【００４４】
データ電極駆動回路４２は、右目用画像データおよび左目用画像データを含む画像データを構成するサブフィールド毎のデータを、各データ電極Ｄ１〜データ電極Ｄｍに対応する信号に変換する。そして、その信号、およびタイミング発生回路４５から供給されるタイミング信号にもとづき、各データ電極Ｄ１〜データ電極Ｄｍを駆動する。書込み期間では書込みパルスを発生し、各データ電極Ｄ１〜データ電極Ｄｍに印加する。
【００４５】
制御信号出力部４６は、ＬＥＤ（Ｌｉｇｈｔ  Ｅｍｉｔｔｉｎｇ  Ｄｉｏｄｅ）等の発光素子を有する。そして、シャッタ制御信号を、例えば赤外線の信号に変換してシャッタ眼鏡５０に供給する。シャッタ制御信号は、使用者が使用するシャッタ眼鏡５０のシャッタの開閉を、右目用フィールドおよび左目用フィールドに同期して制御する信号である。具体的には、制御信号出力部４６は、シャッタ制御信号を、例えば、「右目用シャッタ」、「左目用シャッタ」、「開」、「閉」等を区別するためのコード部分とシャッタの切り換えタイミングを示すタイミング部分とを有するシリアル信号に変換する。このシリアル信号がシャッタ制御信号である。そして、このシリアル信号を、ＬＥＤ等の発光素子を用いて赤外線の光信号に変換し、シャッタ眼鏡５０に供給する。
【００４６】
シャッタ眼鏡５０は、制御信号出力部４６から出力される光信号を受信する制御信号受信部と（図示せず）、右目用シャッタ５２Ｒおよび左目用シャッタ５２Ｌとを有する。右目用シャッタ５２Ｒおよび左目用シャッタ５２Ｌは、それぞれ独立にシャッタの開閉が可能である。そして、シャッタ眼鏡５０は、制御信号出力部４６から出力される光信号を復調してシャッタ制御信号にし、このシャッタ制御信号にもとづいて右目用シャッタ５２Ｒおよび左目用シャッタ５２Ｌを開閉する。右目用シャッタ５２Ｒは、右目用のシャッタ制御信号がオンのときには開き（可視光を透過し）、オフのときには閉じる（可視光を遮断する）。左目用シャッタ５２Ｌは、左目用のシャッタ制御信号がオンのときには開き（可視光を透過し）、オフのときには閉じる（可視光を遮断する）。右目用シャッタ５２Ｒおよび左目用シャッタ５２Ｌは、例えば液晶を用いて構成することができるが、本発明は、シャッタを構成する材料が何ら液晶に限定されるものではなく、可視光の遮断と透過とを高速に切り換えることができるものであればどのようなものであってもかまわない。
【００４７】
次に、パネル１０を駆動するための駆動電圧波形とその動作について説明する。本実施の形態におけるプラズマディスプレイ装置４０は、サブフィールド法によって階調表示を行う。サブフィールド法では、１フィールドを時間軸上で複数のサブフィールドに分割し、各サブフィールドに輝度重みをそれぞれ設定する。それぞれのサブフィールドは初期化期間、書込み期間および維持期間を有する。そして、サブフィールド毎に各放電セルの発光・非発光を制御することによってパネル１０に画像を表示する。
【００４８】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。したがって、画像信号に応じた組み合わせで各サブフィールドを選択的に発光させることによって様々な階調を表示し、画像を表示することができる。
【００４９】
なお、本実施の形態において、プラズマディスプレイ装置４０に入力される画像信号は、右目用画像信号と左目用画像信号とをフィールド毎に交互に繰り返す立体視用の画像信号である。そして、右目用画像信号を表示する右目用フィールドと、左目用画像信号を表示する左目用フィールドとを交互に繰り返してパネル１０に表示することで、右目用画像および左目用画像からなる立体視用の画像（３Ｄ画像）がパネル１０に表示される。
【００５０】
そのため、単位時間（例えば、１秒間）に表示される３Ｄ画像の枚数は、フィールド周波数（１秒間に発生するフィールドの数）の半分となる。例えば、フィールド周波数が６０Ｈｚであれば、１秒間に表示される右目用画像および左目用画像はそれぞれ３０枚ずつとなるため、１秒間に３０枚の３Ｄ画像が表示されることになる。そこで、本実施の形態では、フィールド周波数を通常の２倍（例えば、１２０Ｈｚ）に設定し、フィールド周波数が低い画像を表示する際に発生しやすい画像のちらつき（フリッカ）を低減している。
【００５１】
そして、使用者は、パネル１０に表示される３Ｄ画像を、右目用フィールドおよび左目用フィールドに同期して右目用シャッタ５２Ｒおよび左目用シャッタ５２Ｌをそれぞれ独立に開閉するシャッタ眼鏡５０を通して観賞する。これにより、使用者は、右目用画像を右目だけで観測し、左目用画像を左目だけで観測することができるので、パネル１０に表示される３Ｄ画像を立体視することができる。
【００５２】
なお、右目用フィールドと左目用フィールドとは、表示する画像信号が異なるだけであり、１つのフィールドを構成するサブフィールドの数、各サブフィールドの輝度重み、サブフィールドの配列等のフィールドの構成は同じである。そこで、以下、「右目用」および「左目用」の区別が必要ない場合には、右目用フィールドおよび左目用フィールドを単にフィールドと略記する。また、右目用画像信号および左目用画像信号を単に画像信号と略記する。また、フィールドの構成のことを、サブフィールド構成とも記す。
【００５３】
まず、１つのフィールドの構成と各電極に印加する駆動電圧波形について説明する。右目用フィールドおよび左目用フィールドの各フィールドは複数のサブフィールドを有し、それぞれのサブフィールドは、初期化期間、書込み期間、維持期間を有する。
【００５４】
初期化期間では、放電セルに初期化放電を発生し、続く書込み期間における書込み放電に必要な壁電荷を各電極上に形成する初期化動作を行う。初期化動作には、直前のサブフィールドの動作にかかわらず放電セルに初期化放電を発生する強制初期化動作と、直前のサブフィールドの書込み期間において書込み放電を発生した放電セルだけに初期化放電を発生する選択初期化動作とがある。
【００５５】
書込み期間では、走査電極２２に走査パルスを印加するとともにデータ電極３２に選択的に書込みパルスを印加し、発光するべき放電セルに選択的に書込み放電を発生して、続く維持期間で維持放電を発生するための壁電荷をその放電セル内に形成する書込み動作を行う。
【００５６】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍率である。例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００５７】
本実施の形態では、１フィールドを５つのサブフィールド（サブフィールドＳＦ１、サブフィールドＳＦ２、・・・、サブフィールドＳＦ５）で構成する例を説明する。
【００５８】
サブフィールドＳＦ１〜サブフィールドＳＦ５の各サブフィールドはそれぞれ（１６、８、４、２、１）の輝度重みを有する。このように、本実施の形態では、フィールドの最初に発生するサブフィールドＳＦ１を輝度重みの最も大きいサブフィールドとし、それ以降は輝度重みが順次小さくなるように各サブフィールドに輝度重みを設定し、フィールドの最後に発生するサブフィールドＳＦ５を輝度重みの最も小さいサブフィールドとする。
【００５９】
そして、本実施の形態では、フィールドの最初に発生するサブフィールドＳＦ１の初期化期間では、直前のサブフィールドの動作にかかわらず放電セルに初期化放電を発生する強制初期化動作を行い、サブフィールドＳＦ２〜サブフィールドＳＦ５の初期化期間では、直前のサブフィールドで書込み放電を発生した放電セルだけに初期化放電を発生する選択初期化動作を行う。これにより、画像の表示に関係のない発光はサブフィールドＳＦ１における強制初期化動作の放電にともなう発光のみとなる。したがって、維持放電を発生しない黒表示領域の輝度である黒輝度は強制初期化動作における微弱発光だけとなり、パネル１０にコントラストの高い画像を表示することが可能となる。
【００６０】
しかし、本実施の形態は、１フィールドを構成するサブフィールドの数や各サブフィールドの輝度重みが上記の値に限定されるものではない。また、画像信号等にもとづいてサブフィールド構成を切り換える構成であってもよい。
【００６１】
図４は、本発明の実施の形態１におけるプラズマディスプレイ装置に用いるパネル１０の各電極に印加する駆動電圧波形を示す図である。図４には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【００６２】
また、図４には、主にサブフィールドＳＦ１とサブフィールドＳＦ２の駆動電圧波形を示している。サブフィールドＳＦ１は強制初期化動作を行うサブフィールドであり、サブフィールドＳＦ２〜サブフィールドＳＦ５は選択初期化動作を行うサブフィールドである。したがって、サブフィールドＳＦ１とサブフィールドＳＦ２〜サブフィールドＳＦ５では、初期化期間に走査電極２２に印加する駆動電圧の波形形状が異なる。
【００６３】
なお、サブフィールドＳＦ３〜サブフィールドＳＦ５における駆動電圧波形は、維持期間における維持パルスの発生数が異なる以外はサブフィールドＳＦ２の駆動電圧波形とほぼ同様である。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００６４】
まず、サブフィールドＳＦ１について説明する。
【００６５】
強制初期化動作を行うサブフィールドＳＦ１の初期化期間の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧Ｖｉ１を印加し、電圧Ｖｉ１から電圧Ｖｉ２に向かって緩やかに上昇する傾斜波形電圧を印加する。電圧Ｖｉ１は、維持電極ＳＵ１〜維持電極ＳＵｎに対して放電開始電圧未満の電圧に設定し、電圧Ｖｉ２は、放電開始電圧を超える電圧に設定する。
【００６６】
この傾斜波形電圧が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負極性の壁電圧が蓄積され、データ電極Ｄ１〜データ電極Ｄｍ上および維持電極ＳＵ１〜維持電極ＳＵｎ上には正極性の壁電圧が蓄積される。この電極上の壁電圧とは、電極を覆う誘電体層上、保護層上、蛍光体層上等に蓄積された壁電荷により生じる電圧を表す。
【００６７】
サブフィールドＳＦ１の初期化期間の後半部では、維持電極ＳＵ１〜維持電極ＳＵｎには正極性の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負極性の電圧Ｖｉ４に向かって緩やかに下降する傾斜波形電圧を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００６８】
この傾斜波形電圧を走査電極ＳＣ１〜走査電極ＳＣｎに印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負極性の壁電圧および維持電極ＳＵ１〜維持電極ＳＵｎ上の正極性の壁電圧が弱められ、データ電極Ｄ１〜データ電極Ｄｍ上の正極性の壁電圧は書込み動作に適した値に調整される。
【００６９】
以上により、サブフィールドＳＦ１の初期化期間における初期化動作、すなわち、全ての放電セルで強制的に初期化放電を発生する強制初期化動作が終了する。
【００７０】
続くサブフィールドＳＦ１の書込み期間では、維持電極ＳＵ１〜維持電極ＳＵｎに電圧Ｖｅ２を印加し、走査電極ＳＣ１〜走査電極ＳＣｎのそれぞれには電圧Ｖｃを印加する。
【００７１】
次に、最初に書込み動作を行う１行目の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの正極性の書込みパルスを印加する。
【００７２】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００７３】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【００７４】
これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生することができる。こうして、発光するべき放電セルに書込み放電が発生し、走査電極ＳＣ１上に正極性の壁電圧が蓄積され、維持電極ＳＵ１上に負極性の壁電圧が蓄積され、データ電極Ｄｋ上にも負極性の壁電圧が蓄積される。
【００７５】
このようにして、１行目において発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【００７６】
以上の書込み動作を、走査電極ＳＣ２、走査電極ＳＣ３、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【００７７】
続くサブフィールドＳＦ１の維持期間では、まず維持電極ＳＵ１〜維持電極ＳＵｎに電圧０（Ｖ）を印加するとともに走査電極ＳＣ１〜走査電極ＳＣｎに正極性の電圧Ｖｓの維持パルスを印加する。書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００７８】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負極性の壁電圧が蓄積され、維持電極ＳＵｉ上に正極性の壁電圧が蓄積される。さらに、データ電極Ｄｋ上にも正極性の壁電圧が蓄積される。書込み期間において書込み放電が発生しなかった放電セルでは維持放電は発生せず、初期化期間の終了時における壁電圧が保たれる。
【００７９】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負極性の壁電圧が蓄積され、走査電極ＳＣｉ上に正極性の壁電圧が蓄積される。
【００８０】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルで維持放電が継続して発生する。
【００８１】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、ベース電位である電圧０（Ｖ）から電圧Ｖｒに向かって緩やかに上昇する傾斜波形電圧を走査電極ＳＣ１〜走査電極ＳＣｎに印加する。
【００８２】
走査電極ＳＣ１〜走査電極ＳＣｎへ印加する傾斜波形電圧が放電開始電圧を超えて上昇する間に、維持放電を発生した放電セルに微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正極性の壁電圧を残したまま、走査電極ＳＣｉおよび維持電極ＳＵｉ上の壁電圧が弱められる。
【００８３】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の維持期間における維持動作が終了する。
【００８４】
以上により、サブフィールドＳＦ１が終了する。
【００８５】
選択初期化動作を行うサブフィールドＳＦ２の初期化期間では、サブフィールドＳＦ１における初期化期間の前半部を省略した駆動電圧波形を各電極に印加する選択初期化動作を行う。サブフィールドＳＦ２の初期化期間では、維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から負極性の電圧Ｖｉ４に向かって緩やかに下降する傾斜波形電圧を印加する。電圧Ｖｉ４は、維持電極ＳＵ１〜維持電極ＳＵｎに対して放電開始電圧を超える電圧に設定する。
【００８６】
この傾斜波形電圧を走査電極ＳＣ１〜走査電極ＳＣｎに印加する間に、直前のサブフィールド（図４では、サブフィールドＳＦ１）の維持期間に維持放電を発生した放電セルでは微弱な初期化放電が発生する。そして、この初期化放電により、走査電極ＳＣｉ上および維持電極ＳＵｉ上の壁電圧が弱められる。また、データ電極Ｄｋ上には、直前のサブフィールドの維持期間に発生した維持放電によって十分な正極性の壁電圧が蓄積されているので、この壁電圧の過剰な部分が放電され、データ電極Ｄｋ上の壁電圧は書込み動作に適した壁電圧に調整される。
【００８７】
一方、直前のサブフィールド（サブフィールドＳＦ１）の維持期間に維持放電を発生しなかった放電セルでは、初期化放電は発生せず、それ以前の壁電圧が保たれる。
【００８８】
このように、サブフィールドＳＦ２における初期化動作は、直前のサブフィールドの書込み期間で書込み動作を行った放電セル、すなわち、直前のサブフィールドの維持期間に維持放電を発生した放電セルで選択的に初期化放電を発生する選択初期化動作となる。
【００８９】
以上により、サブフィールドＳＦ２の初期化期間における初期化動作、すなわち、選択初期化動作が終了する。
【００９０】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【００９１】
続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【００９２】
サブフィールドＳＦ３〜サブフィールドＳＦ５の各サブフィールドの初期化期間および書込み期間では、各電極に対してサブフィールドＳＦ２の初期化期間および書込み期間と同様の駆動電圧波形を印加する。また、サブフィールドＳＦ３〜サブフィールドＳＦ５の各サブフィールドの維持期間では、維持期間に発生する維持パルスの数を除き、サブフィールドＳＦ２と同様の駆動電圧波形を各電極に印加する。
【００９３】
以上が、本実施の形態においてパネル１０の各電極に印加する駆動電圧波形の概要である。
【００９４】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｃ＝−３５（Ｖ）、電圧Ｖｓ＝１９０（Ｖ）、電圧Ｖｒ＝１９０（Ｖ）、電圧Ｖｅ１＝１２５（Ｖ）、電圧Ｖｅ２＝１３０（Ｖ）、電圧Ｖｄ＝６０（Ｖ）に設定している。
【００９５】
また、本実施の形態では、サブフィールドＳＦ１の初期化期間において走査電極ＳＣ１〜走査電極ＳＣｎに印加する上り傾斜波形電圧はその勾配を１．５（Ｖ／μｓｅｃ）に設定し、下り傾斜波形電圧はその勾配を−２．５（Ｖ／μｓｅｃ）に設定し、サブフィールドＳＦ２〜サブフィールドＳＦ５の初期化期間において走査電極ＳＣ１〜走査電極ＳＣｎに印加する下り傾斜波形電圧はその勾配を−２．５（Ｖ／μｓｅｃ）に設定している。
【００９６】
なお、上述した電圧値や勾配の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【００９７】
次に、本実施の形態におけるプラズマディスプレイ装置を駆動する１フィールド期間のサブフィールド構成およびシャッタ眼鏡５０の制御について説明する。
【００９８】
図５は、本発明の実施の形態１におけるプラズマディスプレイ装置４０のサブフィールド構成およびシャッタ眼鏡５０の開閉制御の一例を概略的に示す図である。
【００９９】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形と、右目用シャッタ５２Ｒおよび左目用シャッタ５２Ｌの開閉動作とを示す。また、図５には３つのフィールドを示す。
【０１００】
本実施の形態においては、パネル１０に３Ｄ画像を表示するために、右目用フィールドと左目用フィールドとを交互に発生する。例えば、図５に示す３つのフィールドのうち、最初のフィールドは右目用フィールドＦＲ１であり、右目用画像信号をパネル１０に表示する。２番目のフィールドは左目用フィールドＦＬ１であり、左目用画像信号をパネル１０に表示する。３番目のフィールドは右目用フィールドＦＲ２であり、右目用画像信号をパネル１０に表示する。
【０１０１】
なお、図５には、右目用フィールドＦＲ１では、サブフィールドＳＦ１で書込み動作を行わず、サブフィールドＳＦ２〜サブフィールドＳＦ５で書込み動作を行い、左目用フィールドＦＬ１では、サブフィールドＳＦ１およびサブフィールドＳＦ２で書込み動作を行わず、サブフィールドＳＦ３〜サブフィールドＳＦ５で書込み動作を行い、右目用フィールドＦＲ２では、サブフィールドＳＦ１〜サブフィールドＳＦ５で書込み動作を行う例を示す。
【０１０２】
シャッタ眼鏡５０を通してパネル１０に表示される３Ｄ画像を観賞する使用者には、２フィールドで表示される画像（右目用画像および左目用画像）が１枚の３Ｄ画像として認識される。そのため、使用者には、１秒間にパネル１０に表示される画像の数が、１秒間に表示されるフィールドの数の半分の数として観測される。例えば、パネルに表示される３Ｄ画像のフィールド周波数（１秒間に発生するフィールドの数）が６０Ｈｚのとき、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。そこで、本実施の形態では、使用者に３Ｄ画像の動画像が滑らかに観測されるように、フィールド周波数（１秒間に発生するフィールドの数）を通常の２倍（例えば、１２０Ｈｚ）に設定している。
【０１０３】
右目用フィールド、左目用フィールドの各フィールドは、５つのサブフィールド（サブフィールドＳＦ１、サブフィールドＳＦ２、サブフィールドＳＦ３、サブフィールドＳＦ４、サブフィールドＳＦ５）を有する。またサブフィールドＳＦ１〜サブフィールドＳＦ５の各サブフィールドには、それぞれ（１６、８、４、２、１）の輝度重みが設定されている。
【０１０４】
このように、本実施の形態では、サブフィールドの発生順に輝度重みが順次小さくなるように各サブフィールドに輝度重みを設定した５つのサブフィールドで１つのフィールドを構成している。すなわち、フィールドの最初に輝度重みの最も大きいサブフィールドを発生し、２番目に輝度重みが２番目に大きいサブフィールドを発生し、３番目に輝度重みが３番目に大きいサブフィールドを発生し、４番目に輝度重みが４番目に大きいサブフィールドを発生し、フィールドの最後に輝度重みの最も小さいサブフィールドを発生する。
【０１０５】
本実施の形態において、このように各サブフィールドを発生してパネル１０を駆動するのは、以下のような理由による。
【０１０６】
パネル１０で用いられている蛍光体層３５は、その蛍光体を構成する材料に依存した残光特性を有する。この残光とは、放電終了後も蛍光体が発光を持続する現象のことである。そして、残光の強さは、蛍光体の発光時の輝度に比例し、蛍光体が発光したときの輝度が高いほど、残光も強くなる。また、残光は、蛍光体の特性に応じた時定数で減衰し、時間の経過とともに徐々に輝度が低下するが、維持放電を終了した後も数ｍｓｅｃの間は残光が持続するという特性を有する蛍光体材料も存在する。また、蛍光体が発光したときの輝度が高いほど減衰に要する時間も長くなる。
【０１０７】
輝度重みが大きいサブフィールドで生じる発光は輝度重みが小さいサブフィールドで生じる発光よりも輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１０８】
そのため、１フィールドの最終サブフィールドを輝度重みの大きいサブフィールドにすると、最終サブフィールドを輝度重みの小さいサブフィールドにするときと比較して、続くフィールドに漏れ込む残光が増加する。
【０１０９】
右目用フィールドと左目用フィールドとを交互に発生してパネル１０に３Ｄ画像を表示するプラズマディスプレイ装置４０においては、１つのフィールドで発生した残光が続くフィールドに漏れ込むと、その残光は、画像信号とは関係のない不要な発光として使用者に観測されることとなる。この現象がクロストークである。
【０１１０】
したがって、１つのフィールドから次のフィールドに漏れ込む残光が増加するほど、クロストークは悪化し、３Ｄ画像の立体視は阻害され、プラズマディスプレイ装置４０における画像表示品質は劣化する。なお、この画像表示品質とは、シャッタ眼鏡５０を通して３Ｄ画像を観賞する使用者にとっての画像表示品質のことである。
【０１１１】
１つのフィールドから次のフィールドに漏れ込む残光を弱め、クロストークを低減するためには、輝度重みの大きいサブフィールドを１フィールドの早い時期に発生して強い残光をできるだけ自フィールド内で収束させることが望ましい。
【０１１２】
すなわち、フィールドの最初に輝度重みの最も大きいサブフィールドを発生し、以降、サブフィールドの発生順に輝度重みを小さくし、フィールドの最後のサブフィールドを輝度重みの最も小さいサブフィールドにして、次フィールドへの残光の漏れ込みをできるだけ低減することが望ましい。
【０１１３】
そこで、本実施の形態では、クロストークを抑制するために、サブフィールドＳＦ１を輝度重みの最も大きいサブフィールドとし、以降のサブフィールドは輝度重みを順次小さくする構成とする。
【０１１４】
次に、シャッタ眼鏡５０の制御について説明する。シャッタ眼鏡５０の右目用シャッタ５２Ｒおよび左目用シャッタ５２Ｌは、制御信号出力部４６から出力されシャッタ眼鏡５０で受信されるシャッタ制御信号のオン・オフにもとづき、以下のようにシャッタの開閉動作が制御される。
【０１１５】
シャッタ眼鏡５０の右目用シャッタ５２Ｒは、右目用フィールドの最初に書込み動作を行うサブフィールドの維持期間の前にシャッタを開き、次の左目用フィールドの開始前にシャッタを閉じる。また左目用シャッタ５２Ｌは、左目用フィールドの最初に書込み動作を行うサブフィールドの維持期間の前にシャッタを開き、次の右目用フィールドの開始前にシャッタを閉じる。
【０１１６】
以下、図５に示した書込み動作を行うときの例にもとづき、シャッタ眼鏡５０の制御について具体的に説明する。
【０１１７】
図５に示した画像信号の例では、右目用フィールドＦＲ１では、サブフィールドＳＦ１で書込み動作を行わず、サブフィールドＳＦ２〜サブフィールドＳＦ５で書込み動作を行う。したがって、右目用フィールドＦＲ１で最初に書込み動作を行うサブフィールドは、サブフィールドＳＦ２である。そこで、本実施の形態におけるシャッタ眼鏡５０は、右目用フィールドＦＲ１では、サブフィールドＳＦ２の書込み期間の開始時期Ｒｏ１に同期して右目用シャッタ５２Ｒを開き、サブフィールドＳＦ５の維持期間の終了時期Ｒｃ１に同期して右目用シャッタ５２Ｒを閉じる。
【０１１８】
左目用フィールドＦＬ１では、サブフィールドＳＦ１およびサブフィールドＳＦ２で書込み動作を行わず、サブフィールドＳＦ３〜サブフィールドＳＦ５で書込み動作を行う。したがって、左目用フィールドＦＬ１で最初に書込み動作を行うサブフィールドは、サブフィールドＳＦ３である。そこで、本実施の形態におけるシャッタ眼鏡５０は、左目用フィールドＦＬ１では、サブフィールドＳＦ３の書込み期間の開始時期Ｌｏ１に同期して左目用シャッタ５２Ｌを開き、サブフィールドＳＦ５の維持期間の終了時期Ｌｃ１に同期して左目用シャッタ５２Ｌを閉じる。
【０１１９】
右目用フィールドＦＲ２では、サブフィールドＳＦ１〜サブフィールドＳＦ５で書込み動作を行う。したがって、右目用フィールドＦＲ２で最初に書込み動作を行うサブフィールドは、サブフィールドＳＦ１である。そこで、本実施の形態におけるシャッタ眼鏡５０は、右目用フィールドＦＲ２では、サブフィールドＳＦ１の書込み期間の開始時期Ｒｏ２に同期して右目用シャッタ５２Ｒを開き、サブフィールドＳＦ５の維持期間の終了時期Ｒｃ２に同期して右目用シャッタ５２Ｒを閉じる。
【０１２０】
このように、本実施の形態においては、右目用フィールドおよび左目用フィールドのそれぞれに対して、各フィールドの最初に書込み動作を行うサブフィールドの書込み期間の開始時期に同期して、そのフィールドに対応する方のシャッタを開く。
【０１２１】
なお、シャッタ眼鏡５０においては、シャッタを閉じ始めてから完全に閉じるまでに、または、シャッタを開き始めてから完全に開くまでに、シャッタを構成する材料（例えば、液晶）の特性に応じた時間がかかる。例えば、液晶でシャッタを構成するシャッタ眼鏡の場合、シャッタを閉じ始めてから完全に閉じるまでに０．５ｍｓｅｃ程度の時間がかかり、シャッタを開き始めてから完全に開くまでに２ｍｓｅｃ程度の時間がかかることがある。
【０１２２】
したがって、本実施の形態では、シャッタを閉じ始めてから完全に閉じるまでに要する時間、および、シャッタを開き始めてから完全に開くまでに要する時間を考慮し、シャッタの開閉動作を制御する。
【０１２３】
なお、以下、シャッタの透過率を用いて説明を行うが、この透過率とは、シャッタが完全に開いた状態を透過率１００％（透過率が最大）とし、シャッタが完全に閉じた状態を透過率０％（透過率が最小）として、可視光を透過する割合を百分率で表したものである。
【０１２４】
シャッタを開く際には、各フィールドの最初に書込み動作を行うサブフィールドにおいて維持放電にともなう発光が生じたときに、その発光を、そのフィールドに対応する方のシャッタが透過するように、シャッタを開くタイミングを設定する。すなわち、本実施の形態においては、各フィールドの最初に書込み動作を行うサブフィールドにおいて、維持期間の開始直前に、そのフィールドに対応する方のシャッタが開くように、シャッタを開くタイミングを設定する。
【０１２５】
なお、上述の「シャッタが開く」とは、透過率が１００％になることに限定されるものではない。本実施の形態においては、各フィールドの最初に書込み動作を行うサブフィールドにおいて、維持期間の開始直前に、そのフィールドに対応する方のシャッタの透過率が７０％以上になるように、望ましくは９０％以上になるように、シャッタを開くタイミングを設定する。
【０１２６】
なお、上述の例は、各フィールドの最初に書込み動作を行うサブフィールドの書込み期間の開始時期に同期して、そのフィールドに対応する方のシャッタを開き始めることで、そのサブフィールドの維持期間の開始前にはそのフィールドに対応する方のシャッタが開く、という前提で説明をした。
【０１２７】
シャッタを閉じる際には、各フィールドの最終サブフィールド（本実施の形態では、サブフィールドＳＦ５）の維持期間が終了した後に、そのフィールドに対応する方のシャッタを閉じ始め、次のフィールドの開始直前において、そのシャッタの透過率が３０％以下となるように、望ましくは１０％以下となるように、シャッタを閉じるタイミングを設定する。
【０１２８】
上述したように、本実施の形態では、各フィールドにおいて、そのフィールドに対応する方のシャッタを開くタイミングは、そのフィールドの最初に書込み動作を行うサブフィールドの維持期間の直前に、そのフィールドに対応する方のシャッタが開くように設定する。
【０１２９】
したがって、本実施の形態では、右目用フィールドおよび左目用フィールドのそれぞれにおいて、各フィールドの最初に書込み動作を行うサブフィールドの維持期間の前に、そのフィールドに対応する方のシャッタを開き、次のフィールドの開始前にそのシャッタを閉じる。
【０１３０】
このようにシャッタ眼鏡５０を制御することにより、パネル１０に表示される３Ｄ画像をシャッタ眼鏡５０を通して観賞する使用者に対し、３Ｄ画像に生じるクロストークを抑制し、品質の高い３Ｄ画像を提供することが可能となる。以下、その理由について説明する。
【０１３１】
図６は、当該フィールドの直前のフィールドで維持放電を発生したときの当該フィールドにおける残光の強さを概略的に示す図である。なお、図６に示すグラフは、１フィールドをサブフィールドＳＦ１〜サブフィールドＳＦ５の５つのサブフィールドで構成し、サブフィールドＳＦ１〜サブフィールドＳＦ５の各サブイフィールドに（１６、８、４、２、１）の輝度重みを設定して実験を行った結果を示したものである。
【０１３２】
図６において、横軸は当該フィールドの直前のフィールドにおいて維持放電を発生するサブフィールドを示しており、縦軸は残光の強さを相対値で示している。例えば、図６に示す「ＳＦ１〜ＳＦ５」は、サブフィールドＳＦ１からサブフィールドＳＦ５までの各サブフィールドで維持放電を発生したことを表している。したがって、その縦軸方向には、階調「３１」を表示したときの残光の強さが示されている。また、「ＳＦ２〜ＳＦ５」は、サブフィールドＳＦ２からサブフィールドＳＦ５までの各サブフィールドで維持放電を発生したことを表している。したがって、その縦軸方向には、階調「１５」を表示したときの残光の強さが示されている。また、「ＳＦ３〜ＳＦ５」は、サブフィールドＳＦ３からサブフィールドＳＦ５までの各サブフィールドで維持放電を発生したことを表している。したがって、その縦軸方向には、階調「７」を表示したときの残光の強さが示されている。また、「ＳＦ４〜ＳＦ５」は、サブフィールドＳＦ４とサブフィールドＳＦ５とで維持放電を発生したことを表している。したがって、その縦軸方向には、階調「３」を表示したときの残光の強さが示されている。また、「ＳＦ５」は、サブフィールドＳＦ５だけで維持放電を発生したことを表している。したがって、その縦軸方向には、階調「１」を表示したときの残光の強さが示されている。
【０１３３】
なお、図６において、「ＳＦ１」で示された値は、当該フィールドのサブフィールドＳＦ１の書込み期間の開始時における残光の強さを示している。また、「ＳＦ２」で示された値は、当該フィールドのサブフィールドＳＦ２の書込み期間の開始時における残光の強さを示している。また、「ＳＦ３」で示された値は、当該フィールドのサブフィールドＳＦ３の書込み期間の開始時における残光の強さを示している。
【０１３４】
図６に示すように、当該フィールドの直前のフィールドにおいて維持放電を発生するサブフィールドの数が多いほど、当該フィールドにおける残光は強くなる。例えば、当該フィールドのサブフィールドＳＦ１の書込み期間の開始時における残光の強さは、「ＳＦ１〜ＳＦ５」では「ＳＦ４〜ＳＦ５」の約２倍である。このように、当該フィールドの直前のフィールドにおいて維持放電を発生する時間が長いほど、言い換えれば高い階調を表示するほど、当該フィールドにおける残光は強くなる。
【０１３５】
一方、「ＳＦ１〜ＳＦ５」において、サブフィールドＳＦ１の書込み期間の開始時における残光の強さは、サブフィールドＳＦ２の書込み期間の開始時における残光の強さの約３倍であり、サブフィールドＳＦ３の書込み期間の開始時における残光の強さの約５倍である。このことから、残光は急速に減衰することがわかる。したがって、サブフィールドＳＦ１の書込み期間において強い残光が観測されたとしても、サブフィールドＳＦ２の書込み期間では残光は弱くなり、サブフィールドＳＦ３の書込み期間では残光はさらに弱くなって実質的に残像としての影響を及ぼさない。
【０１３６】
残像現象は、残光が強いほど強く発生する。そして、当該フィールドの表示階調が低いほど、残像はよりはっきりと使用者に観測される。
【０１３７】
本実施の形態では、フィールドの最初に輝度重みの最も大きいサブフィールドを発生し、以降、サブフィールドの発生順に輝度重みを小さくし、フィールドの最後のサブフィールドを輝度重みの最も小さいサブフィールドにしている。したがって、パネルに表示する階調が暗ければ、その階調に応じて、輝度重みが比較的大きいサブフィールドＳＦ１やサブフィールドＳＦ２といった、フィールドの中で比較的早く発生するサブフィールドが発光しない。
【０１３８】
そして、本実施の形態では、例えばサブフィールドＳＦ１で書込み動作を行わないフィールドでは、シャッタ眼鏡５０の、そのフィールドに対応する方のシャッタは、少なくともサブフィールドＳＦ１が終了するまでは開かない。あるいは、サブフィールドＳＦ１およびサブフィールドＳＦ２で書込み動作を行わないフィールドでは、シャッタ眼鏡５０の、そのフィールドに対応する方のシャッタは、少なくともサブフィールドＳＦ２が終了するまでは開かない。このように、残像が目立ちやすい暗い階調を表示するフィールドでは、そのフィールドに対応する方のシャッタが開くタイミングは、残像が目立ちにくい明るい階調を表示するフィールドと比較して遅くなる。
【０１３９】
シャッタを閉じている間の残光は使用者には見えない。したがって、シャッタを開くタイミングが遅くなれば、シャッタを開くタイミングが早い場合と比較して、使用者の眼に入る残光は少なくなる。また、シャッタを開くタイミングが遅くなれば、その間に残光が弱くなるので、シャッタを開いたときに使用者の眼に入る残光は、その分小さくなる。
【０１４０】
このように、本実施の形態によれば、残像が目立ちやすい暗い階調を表示するフィールドでは、そのフィールドに対応する方のシャッタが開くタイミングを、明るい階調を表示するフィールドと比較して遅くできるので、その間に残光が弱まり、シャッタ眼鏡５０を通して３Ｄ画像を観賞する使用者に対して、クロストークを抑制し、品質の高い３Ｄ画像を提供することができる。
【０１４１】
また、本実施の形態では、フィールドの最初に発生するサブフィールドＳＦ１の初期化期間では強制初期化動作を行う。これにより、少なくとも１フィールドに１回はパネル１０における全ての放電セルで初期化放電を発生することができ、書込み動作を安定に行うことが可能となる。このとき、強制初期化動作にともなう発光が生じるが、本実施の形態では、右目用フィールドおよび左目用フィールドのいずれのフィールドにおいても、強制初期化動作が行われている期間は、右目用シャッタ５２Ｒおよび左目用シャッタ５２Ｌはともに閉じた状態となる。
【０１４２】
したがって、本実施の形態におけるプラズマディスプレイシステムでは、強制初期化動作によって発生する発光が、右目用シャッタ５２Ｒおよび左目用シャッタ５２Ｌによって遮られ、使用者の目に入らない状態となる。すなわち、シャッタ眼鏡５０を通して３Ｄ画像を観賞する使用者には、強制初期化動作による発光が見えなくなり、その発光分の輝度が黒輝度において低減することになる。これにより、使用者は、黒輝度を低減したコントラストの高い画像を観賞することが可能となる。
【０１４３】
なお、タイミング発生回路４５は、上述したシャッタの開閉動作を右目用シャッタ５２Ｒおよび左目用シャッタ５２Ｌが行うためのシャッタ制御信号を制御信号出力部４６が出力するようにタイミング信号を発生して、制御信号出力部４６に供給する。
【０１４４】
（実施の形態２）
図７は、本発明の実施の形態２におけるプラズマディスプレイ装置のサブフィールド構成およびシャッタ眼鏡５０の開閉制御の一例を概略的に示す図である。
【０１４５】
図７には、図５と同様に、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形と、右目用シャッタ５２Ｒおよび左目用シャッタ５２Ｌの開閉動作とを示す。
【０１４６】
本実施の形態では、図５に示す例と同様に、フィールド周波数を通常の２倍（例えば、１２０Ｈｚ）に設定している。また、右目用フィールド、左目用フィールドの各フィールドは、５つのサブフィールド（サブフィールドＳＦ１、サブフィールドＳＦ２、サブフィールドＳＦ３、サブフィールドＳＦ４、サブフィールドＳＦ５）を有し、サブフィールドＳＦ１〜サブフィールドＳＦ５の各サブフィールドには、それぞれ（１６、８、４、２、１）の輝度重みが設定されている。
【０１４７】
また、図７には３つのフィールドを一例として示す。図７に示す３つのフィールドのうち、最初のフィールドは右目用フィールドＦＲ１であり、右目用画像信号をパネル１０に表示する。２番目のフィールドは左目用フィールドＦＬ１であり、左目用画像信号をパネル１０に表示する。３番目のフィールドは右目用フィールドＦＲ２であり、右目用画像信号をパネル１０に表示する。
【０１４８】
なお、図７には、右目用フィールドＦＲ１では、サブフィールドＳＦ１で書込み動作を行わず、サブフィールドＳＦ２〜サブフィールドＳＦ５で書込み動作を行い、左目用フィールドＦＬ１では、サブフィールドＳＦ１およびサブフィールドＳＦ２で書込み動作を行わず、サブフィールドＳＦ３〜サブフィールドＳＦ５で書込み動作を行い、右目用フィールドＦＲ２では、サブフィールドＳＦ１〜サブフィールドＳＦ５で書込み動作を行う例を示す。
【０１４９】
図７に示した画像信号の例では、右目用フィールドＦＲ１では、サブフィールドＳＦ１で書込み動作を行わず、サブフィールドＳＦ２〜サブフィールドＳＦ５で書込み動作を行う。したがって、右目用フィールドＦＲ１で最初に書込み動作を行うサブフィールドは、サブフィールドＳＦ２である。そこで、本実施の形態におけるシャッタ眼鏡５０は、右目用フィールドＦＲ１では、実施の形態１に示した動作と同様に、サブフィールドＳＦ２の書込み期間の開始時期Ｒｏ１に同期して右目用シャッタ５２Ｒを開き、サブフィールドＳＦ５の維持期間の終了時期Ｒｃ１に同期して右目用シャッタ５２Ｒを閉じる。
【０１５０】
左目用フィールドＦＬ１では、サブフィールドＳＦ１およびサブフィールドＳＦ２で書込み動作を行わず、サブフィールドＳＦ３〜サブフィールドＳＦ５で書込み動作を行う。したがって、左目用フィールドＦＬ１で最初に書込み動作を行うサブフィールドは、サブフィールドＳＦ３である。そして、本実施の形態におけるシャッタ眼鏡５０は、この左目用フィールドＦＬ１では、実施の形態１に示した動作とは異なり、サブフィールドＳＦ２の書込み期間の開始時期Ｌｏ１に同期して左目用シャッタ５２Ｌを開き、サブフィールドＳＦ５の維持期間の終了時期Ｌｃ１に同期して左目用シャッタ５２Ｌを閉じる。
【０１５１】
右目用フィールドＦＲ２では、サブフィールドＳＦ１〜サブフィールドＳＦ５で書込み動作を行う。したがって、右目用フィールドＦＲ２で最初に書込み動作を行うサブフィールドは、サブフィールドＳＦ１である。そこで、本実施の形態におけるシャッタ眼鏡５０は、右目用フィールドＦＲ２では、実施の形態１に示した動作と同様に、サブフィールドＳＦ１の書込み期間の開始時期Ｒｏ２に同期して右目用シャッタ５２Ｒを開き、サブフィールドＳＦ５の維持期間の終了時期Ｒｃ２に同期して右目用シャッタ５２Ｒを閉じる。
【０１５２】
このように、実施の形態２においては、フィールドの最初に発生するサブフィールドＳＦ１の書込み動作だけに注目する。そして、各フィールドにおいて、サブフィールドＳＦ１で書込み動作を行うときには、サブフィールドＳＦ１の書込み期間の開始時期に同期して、そのフィールドに対応する方のシャッタを開き、サブフィールドＳＦ１で書込み動作を行わないときには、サブフィールドＳＦ２の書込み期間の開始時期に同期して、そのフィールドに対応する方のシャッタを開く。
【０１５３】
なお、シャッタを開く際には、実施の形態１と同様に、シャッタを開き始めてから完全に開くまでに要する時間を考慮して、シャッタを開く動作を制御する。
【０１５４】
なお、シャッタを閉じる際の動作は、実施の形態１に示した動作と同様であるので、説明を省略する。
【０１５５】
実施の形態１において図６に示したように、残光は時間の経過にともない急速に減衰する。したがって、上述したように、フィールドの最初に発生するサブフィールドＳＦ１の書込み動作だけに注目し、サブフィールドＳＦ１で書込み動作を行わないフィールドにおいて、そのフィールドに対応する方のシャッタを開くタイミングをサブフィールドＳＦ１が終了するまで遅らせるだけでも、実用上問題のないレベルまでクロストークを抑制することができる。
【０１５６】
なお、本発明の実施の形態においては、書込み放電にともない生じる発光を、階調の表示に利用する場合には、書込み期間の開始時期に同期してシャッタを開くことが望ましい。しかし、書込み放電にともない生じる発光を、階調の表示に用いない場合には、維持期間が開始する直前にシャッタが開くようにシャッタの開閉動作を制御すればよい。
【０１５７】
なお、本発明の実施の形態においては、フィールドの最後に発生するサブフィールドの維持期間の終了時期に同期して、そのフィールドに対応する方のシャッタを閉じる例を説明した。しかし、シャッタを閉じるタイミングは、現フィールドの画像表示が終了し、かつ次のフィールドの画像表示が始まる前であればよい。したがって、例えば、現フィールドの最後のサブフィールドの維持期間における最後の維持放電の終了直後にシャッタを閉じてもよく、あるいは次のフィールドの最初のサブフィールドの開始直前にシャッタを閉じてもよい。
【０１５８】
なお、本発明の実施の形態においては、図５、図７に、シャッタの開閉制御に時間的な遅れがなく、瞬時に開閉が切り換わる図を示したが、実施の形態１に説明したように、シャッタの開閉の切り換えには、シャッタを構成する材料に応じた時間がかかる。したがって、本発明の実施の形態に示したプラズマディスプレイ装置では、これらの時間を考慮してシャッタ制御信号のタイミングを設定する。
【０１５９】
なお、図５、図７には、サブフィールドＳＦ５の終了後からサブフィールドＳＦ１の開始前までの間に、下り傾斜波形電圧を発生して走査電極ＳＣ１〜走査電極ＳＣｎに印加するとともに、電圧Ｖｅ１を維持電極ＳＵ１〜維持電極ＳＵｎに印加する例を示したが、これらの電圧は発生せずともよい。例えば、サブフィールドＳＦ５の終了後からサブフィールドＳＦ１の開始前までの間は、走査電極ＳＣ１〜走査電極ＳＣｎ、維持電極ＳＵ１〜維持電極ＳＵｎ、データ電極Ｄ１〜データ電極Ｄｍをともに０（Ｖ）に保持する構成であってもよい。
【０１６０】
なお、本発明の実施の形態においては、１つのフィールドを５つのサブフィールドで構成する例を説明した。しかし、本発明は１フィールドを構成するサブフィールドの数が何ら上記の数に限定されるものではない。例えば、サブフィールドの数を５よりも多くすることで、パネル１０に表示できる階調の数をさらに増加することができる。
【０１６１】
また、本発明の実施の形態においては、サブフィールドの輝度重みを「２」のべき乗とし、サブフィールドＳＦ１〜サブフィールドＳＦ５の各サブフィールドの輝度重みを（１６、８、４、２、１）に設定する例を説明した。しかし、各サブフィールドに設定する輝度重みは、何ら上記の数値に限定されるものではない。例えば、（１２、７、３、２、１）等として階調を決めるサブフィールドの組合せに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置４０の仕様等に応じて適宜設定すればよい。
【０１６２】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０１６３】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０１６４】
なお、上述した駆動回路は一例を示したものであり、駆動回路の構成は上述した構成に限定されるものではない。
【０１６５】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０１６６】
本発明は、３Ｄ画像表示装置として使用可能なプラズマディスプレイ装置において、パネルに表示される３Ｄ画像をシャッタ眼鏡を通して観賞する使用者に対して、クロストークを低減し、画像表示品質を高めることができるので、プラズマディスプレイ装置およびプラズマディスプレイシステムとして有用である。
【符号の説明】
【０１６７】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
４６    制御信号出力部
５０    シャッタ眼鏡
５２Ｒ    右目用シャッタ
５２Ｌ    左目用シャッタ
【図１】
2011111337.tif 000003
【図２】
2011111337.tif 000004
【図３】
2011111337.tif 000005
【図４】
2011111337.tif 000006
【図５】
2011111337.tif 000007
【図６】
2011111337.tif 000008
【図７】
2011111337.tif 000009
【手続補正書】
【提出日】平成24年3月12日(2012.3.12)
【手続補正１】
【補正対象書類名】明細書
【補正対象項目名】００３９
【補正方法】変更
【補正の内容】
【００３９】
また、入力される画像信号が、右目用画像信号と左目用画像信号とを有する立体視用の３Ｄ画像信号であり、その画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【国際調査報告】
2011111337.tif 000010
2011111337.tif 000011
2011111337.tif 000012
2011111337.tif 000013
2011111337.tif 000014
2011111337.tif 000015